(57)【特許請求の範囲】
【請求項１】
本体ケース内には、前記本体ケースの外部に水を噴出する噴出口が設けられた遠心ポンプと、この遠心ポンプの下面に設けられ水を吸入する吸水口と、前記本体ケースに設けられた引き出しガイドと、この引き出しガイドにガイドされて前記吸水口の下端部に設けられ、前記遠心ポンプが吸い込む水を濾過するフィルターを収納する前記本体ケース内に出し入れ可能なフィルターケースと、を有し、前記本体ケースには、前記本体ケースの底部に設けられた取水口と、前記噴出口の上端よりも下であって前記フィルターケースの上端よりも上に設けられた補助取水口と、を有する浴用気泡発生器。
【発明の詳細な説明】
【０００１】
【発明の属する技術分野】
本発明は、電源器を浴室外に置き、ポンプ本体を浴槽中にセットして、気泡水流を作り噴射する浴用気泡発生器の改良に関するものである。
【０００２】
【従来の技術】
従来は、図８に示すように、電源器を浴室外に置き、ポンプ本体を浴槽中にセットして、気泡水流を作り、この気泡を浴槽内の身体に噴射して使用していた。そしてポンプ本体は図９に示すように、ポンプ吸水口にＬ字パイプ３０を取り付け本体背面壁の一部を内側にへこませて設けたフィルターケース収納部をポンプ側壁に当設し、フィルター２２を収納するフィルターケース２３を爪掛け方式により着脱可能としていた。
【０００３】
【発明が解決しようとする課題】
従来は、フイルターケースを爪による引っかけ固定方式としていたため、制作上着脱力の調整が困難で、着脱がし難く、爪が折れ易い等の問題があった。この問題点を解決するために、ポンプ本体の吸水側に設けてあるフィルターケースの着脱を操作性の良い引き出し方式としたものがある。しかし、それにより発生する問題点、すなわち従来の背面フィルター方式においては、ポンプが吸い込む水は浴槽全体が対象となるが、本引き出し方式においては引き出しの下面吸い込みとなるため、本体ケース内の水を吸い込むことになり、この水を浴槽から本体ケース内に導入するために本体ケース底面に外観上見苦しくない程度で、ポンプ吸水能力に見合った吸水口を設けている。そのため、噴射ノズルを水面ぎりぎりの位置で使用されると本体ケース内水面の波打ちで吸水口下面に水位が下がった時に水が吸い込めず噴射がとぎれる息付き現象を発生するという問題が生じた。
【０００４】
【課題を解決するための手段】
この息付き現象を防止するために、本願発明の浴用気泡発生器は、本体ケース内には、前記本体ケースの外部に水を噴出する噴出口が設けられた遠心ポンプと、この遠心ポンプの下面に設けられ水を吸入する吸水口と、前記本体ケースに設けられた引き出しガイドと、この引き出しガイドにガイドされて前記吸水口の下端部に設けられ、前記遠心ポンプが吸い込む水を濾過するフィルターを収納する前記本体ケース内に出し入れ可能なフィルターケースと、を有し、前記本体ケースには、前記本体ケースの底部に設けられた取水口と、前記噴出口の上端よりも下であって前記フィルターケースの上端よりも上に設けられた補助取水口と、を有するものである。
【０００６】
【発明の実施の形態】
本実施例は、底面部に長穴あるいは丸穴からなる取水口を設けるとともに、機体外郭ケースの背面側に、噴射ノズル径の最上面を上限とし本体ケース背面引き出しフィルター上端位置の間で出来るだけ上部に複数の長穴または丸穴を設け、本体ケース内の吸い込み水が波打ちポンプ吸水口以下に水面が下がろうとした時にこの穴より水を供給することにより、吸い込み水量を確保し息付き現象を防止するものである。またこの穴の寸法は指の入らない寸法で、本体ケース背面に位置するため、安全上、外観上も特に問題ないものである。
【０００７】
【実施例】
実施例について図面を参照して説明する。図１は浴用気泡発生器のポンプ本体の外郭ケースを一部除いた平面図であり、駆動電動機を２個有しているものである。図２は図１の縦断面図である。図３はポンプ部分を拡大した要部断面図、図４は図２の下面図である。図５は図２の背面図であり、図６はフィルターの詳細図である。図７は電源器の外観図であり、図８は使用状態を示す参考図である。
【０００８】
図において、１は浴用気泡発生器のポンプ本体であり以下の部品により構成されている。２はポンプランナー回転用の駆動電動機で本実施例では２個有している。３はこの駆動電動機２を収納するモータケースで、下部に駆動電動機１の軸を貫通させる開口部４を有し、この周囲に水密回転を確保するオイルシール５を取り付ける取り付け壁６が開口部４と同心円に形成されている。
【０００９】
又モータケース３の上面は駆動電動機２を取り付けるため開口しており、取り付け後、電圧印加用の配線をし水密確保のゴムパッキン７を介しモータカバー８を複数のネジ９にてネジ止めしモータケース３内の水密を保つものである。モータカバー８の上面の一部に別体のＤＣ１２Ｖ電源器１０に接続するためのコード１１が水密保持され取り出されている。
【００１０】
このモータケース３の下部にポンプケーシング１２がネジ止めされ、さらに駆動電動機２の軸にランナー１３が圧入され、ケーシングカバー１４がネジ止めされている。ケーシングカバー１４の下面中央に水を吸入する吸水口１５が開口しており、その周囲にリング状のガイド壁１６が形成されている。
【００１１】
ポンプケーシング１２と一体化された状態で遠心形状を構成し噴出口１７に向かう流路の一部に絞りノズル部１８が形成されている。又ポンプケーシング１２の絞りノズル部１８の一部に空気吸い込みホース１９の取り付け開口が形成されている。
【００１２】
２０、２１はこのポンプ本体を覆う２つ割の外郭ケース（本体ケース）で２０は背面ケース、２１は前ケースであり、持ち運び、運転操作用ハンドルが一体的に形成されている。また、本体ケースには吸水口１５下端部に濾過用のフィルター２２を収納するフィルターケース２３を出し入れするための引き出しガイド２４が形成されている。この引き出しガイド２４の先端にて、ケーシングカバー１４のリング状のガイド壁１６と係合するよう構成されている。
【００１３】
又、図４に示す如く背面ケース２０、前ケース２１にまたがり底部に長穴からなる取水口２５が開口している。この取水口２５の開口面積は吸水口１５より充分大きく設定されている。さらに図５に示す如く背面ケース２０には噴射ノズル２６の径上端を上限とし、フィルターケース２３上端を下限としてフィルターケース２３の近傍に複数の長穴からなる補助取水口２７が設けられている。
【００１４】
２６はポンプ本体の噴射口１７に当設し気泡水流を外部へ方向自在に誘導する噴射ノズル（噴射口）であり、回動自在に取り付けられている。
【００１５】
図７に示す電源器１０は家庭内のＡＣ１００ＶをＤＣ１２Ｖに変換するものでポンプ本体１からのコード１１の先端につけたコネクターで着脱通電される。又２８はポンプ本体への通電を入り、切りするスイッチである。２９は空気吸い込みホース１９の先端に設けた浮き子兼用の空気取り入れボールである。
【００１６】
次に上記構成における作用を説明する。
【００１７】
図８に示すように電源器１０を浴室外に置きポンプ本体１を沸き上がった浴槽内に設置すると、本体ケース底面の取水口２５から本体ケース内に水が侵入し設置位置水面まで本体内が浴水で充満する。
【００１８】
この状態で、スイッチ２８を入れると駆動電動機２が動作を始める。そうすると、本体ケース内の水、それに連なる浴槽中の水を吸い込みフィルターケース２３内のフィルター２２を介して吸水口１５からポンプケーシング１２内を経由してランナー１３の回転により噴出口１７を介し、噴射ノズル２６から水が噴射される。そのとき空気吸い込みホース１９より空気を取り入れ、噴射ノズル２６より気泡を噴出するものである。
【００１９】
この時噴出口１７の位置が浴槽の水面ぎりぎりの位置になるようポンプ本体１を設置して運転すると、運転開始時一気にポンプ本体１内の水が吸水され、浴槽からポンプ本体底面に設けられた取水口２５を通しての取水が追いつかずポンプ本体１内の水面が低下し、水面がフィルターケース２３下面より下がりポンプの吸水が不能になり、噴出口１７からの噴出を停止する。しかし本発明の如く、補助取水口２７が噴出口径上端より下部に、フィルターケース２３上面より上部に設けてあるため、このようなポンプ本体１の設置位置でも完全に水中に位置するため、ポンプ本体１内の水面が急激に下がっても、この補助取水口２７からポンプ本体１内に水を供給し水位の回復を図るため噴出不能になることはない。
【００２０】
【発明の効果】
本発明は、以上説明したような形態で実施され、以下に記載されるような効果を奏する。
【００２１】
浴水吸い込み時の濾過用のフィルターの清掃は、本製品使用時の必須メンテナンス項目であり、この操作性の向上が重要な課題となっており、操作性の面で引き出し方式が最も優れているものである。この方式の最大の欠点は水の吸水が本体ケース内からとなり噴出ノズルを水面ぎりぎりに設置すると噴射不能となるため、身体のあらゆる位置に噴射する場合操作上の制限が出る問題があった。
【００２２】
これに対し本発明の如く補助取水口を設けることによりこの問題も解決でき、フィルター清掃性の良い浴用気泡発生器を、コストをかけずに実現出来るものである。
【図面の簡単な説明】
【図１】浴用気泡発生器のポンプ本体の外郭ケースを一部除いた平面図である。
【図２】図１の縦断面図である。
【図３】図２の要部を拡大した断面図である。
【図４】図２の下面図である。
【図５】図２の背面図である。
【図６】フィルター詳細図である。
【図７】浴用気泡発生器の電源器外観図である。
【図８】使用状態を示す参考図である。
【図９】フィルターケースを含むポンプ本体の従来構造図である。
【符号の説明】
１：ポンプ本体、２：駆動電動機、３：モータケース、１５：吸水口、１７：噴出口、２０：背面ケース、２１：前ケース、２２：フィルター、２３：フィルターケース、２５：取水口、２６：噴射ノズル（噴射口）、２７：補助取水口
【図１】
0003854739.tif 000002
【図２】
0003854739.tif 000003
【図３】
0003854739.tif 000004
【図４】
0003854739.tif 000005
【図５】
0003854739.tif 000006
【図６】
0003854739.tif 000007
【図７】
0003854739.tif 000008
【図８】
0003854739.tif 000009
【図９】
0003854739.tif 000010